(57)【要約】複数の物品を保持するキャリア。本キャリアは、少なくともボトムパネルを含む複数のパネルを備える。保持用タブが、複数の物品のうちの１つの物品の少なくとも一部分に係合するものとすることができるとともに、少なくともボトムパネルにある開口に隣接して少なくともボトムパネルに折り曲げ可能につながっていることができる。保持用タブは、第１の折り線に沿って第１の近位部分に、また第２の折り線に沿って第２の近位部分に折り曲げ可能につながっている遠位部分を有することができる。第１の折り線は、第２の折り線から離間していることができる。遠位部分は、ボトムパネルから概ね離間して少なくとも１つの物品の少なくとも底部に係合するものとすることができ、第１の近位部分及び第２の近位部分のそれぞれは、ボトムパネルから遠位部分まで延びることができる。【選択図】図３
2017509554.tif 000002
【特許請求の範囲】
【請求項１】
複数の物品を保持するキャリアであって、該キャリアは、
該キャリアの内部の周りに少なくとも部分的に延びる複数のパネルであって、該複数のパネルは少なくともボトムパネルを含む、複数のパネルと、
前記複数の物品のうちの１つの物品の少なくとも一部分に係合する保持用タブであって、該保持用タブは、少なくとも前記ボトムパネルにある開口に隣接して少なくとも前記ボトムパネルに折り曲げ可能につながっており、該保持用タブは、第１の折り線に沿って第１の近位部分に、また第２の折り線に沿って第２の近位部分に折り曲げ可能につながっている遠位部分を有し、前記第１の折り線は、前記第２の折り線から離間しており、前記遠位部分は、前記ボトムパネルから概ね離間して前記少なくとも１つの物品の少なくとも底部に係合するものであり、前記第１の近位部分及び前記第２の近位部分のそれぞれは、前記ボトムパネルから前記遠位部分まで延びる、保持用タブと、
を備える、キャリア。
【請求項２】
前記遠位部分は、前記ボトムパネルに対して略平行である、請求項１に記載のキャリア。
【請求項３】
前記保持用タブは、第３の近位部分を更に有し、前記遠位部分は、第３の折り線に沿って前記第３の近位部分に折り曲げ可能につながっている、請求項１に記載のキャリア。
【請求項４】
前記第３の折り線は、前記第１の折り線と略同一線上にある、請求項３に記載のキャリア。
【請求項５】
前記遠位部分の一部分が、前記第１の折り線及び前記第３の折り線のそれぞれの端の間に延びる、請求項３に記載のキャリア。
【請求項６】
前記遠位部分の第１の縁が、前記第１の折り線から前記第２の折り線まで延び、前記遠位部分の第２の縁が、前記第３の折り線から前記第２の折り線まで延びる、請求項３に記載のキャリア。
【請求項７】
前記遠位部分の縁が、前記第１の折り線から前記第２の折り線まで延びる、請求項１に記載のキャリア。
【請求項８】
前記遠位部分の縁が、前記第１の折り線の端から前記第２の折り線の端まで延びる、請求項１に記載のキャリア。
【請求項９】
前記遠位部分において、前記第１の折り線から切れ目線が延びる、請求項１に記載のキャリア。
【請求項１０】
前記第１の近位部分は、第３の折り線に沿って前記ボトムパネルに折り曲げ可能につながっており、前記第２の近位部分は、第４の折り線に沿って前記ボトムパネルに折り曲げ可能につながっており、前記第３の折り線は、前記第４の折り線から離間している、請求項１に記載のキャリア。
【請求項１１】
前記第１の折り線、前記第２の折り線、前記第３の折り線、及び前記第４の折り線は、互いに対して略平行である、請求項１０に記載のキャリア。
【請求項１２】
前記第３の折り線は、前記第１の折り線から第１の距離だけ離間し、前記第４の折り線は、前記第２の折り線から第２の距離だけ離間し、前記第１の距離は、前記第２の距離よりも大きい、請求項１０に記載のキャリア。
【請求項１３】
前記ボトムパネルの縁が、前記開口に沿って前記第３の折り線から前記第４の折り線まで延びる、請求項１０に記載のキャリア。
【請求項１４】
前記複数のパネルは、第３の折り線に沿って前記ボトムパネルに折り曲げ可能につながっているサイドパネルを更に含み、前記開口は、前記サイドパネル内に延びて前記第３の折り線を中断する、請求項１に記載のキャリア。
【請求項１５】
前記ボトムパネルは、前記第３の折り線によって少なくとも部分的に画定されるボトム傾斜パネルを含み、前記開口は、前記ボトム傾斜パネル内に延びる、請求項１４に記載のキャリア。
【請求項１６】
前記ボトムパネルは第１のボトムパネルであり、前記保持用タブは第１の保持用タブであり、前記複数のパネルは、前記第１のボトムパネルと少なくとも部分的に重なり合う関係にある第２のボトムパネルを更に含み、前記キャリアは、前記第２のボトムパネルに折り曲げ可能につながっている第２の保持用タブを更に備える、請求項１に記載のキャリア。
【請求項１７】
請求項１に記載のキャリアと前記複数の物品のうちの１つの物品との組合せであって、前記物品の前記底部は、ドーム形状部と、該ドーム形状部から概ね下方に延びる内側リムとを有し、前記保持用タブの前記遠位部分は前記内側リムに係合する、組合せ。
【請求項１８】
前記遠位部分の遠位縁は、前記物品の前記内側リムに係合し、前記遠位縁は、前記第１の近位部分及び前記第２の近位部分とは反対側に配置される、請求項１７に記載の組合せ。
【請求項１９】
前記第１の近位部分及び前記第２の近位部分に近接する前記遠位部分の一部分が、前記物品の前記ドーム形状部から概ね離間している、請求項１７に記載の組合せ。
【請求項２０】
複数の物品を保持するキャリアを形成するブランクであって、該ブランクは、
少なくともボトムパネルを含む複数のパネルと、
該ブランクから前記キャリアが形成される場合、前記複数の物品のうちの１つの物品の少なくとも一部分に係合する保持用タブであって、該保持用タブは、少なくとも前記ボトムパネルに折り曲げ可能につながっているとともに、少なくとも１つの切れ目に沿って前記ボトムパネルから少なくとも部分的に分離可能であり、該保持用タブは、第１の折り線に沿って第１の近位部分に、また第２の折り線に沿って第２の近位部分に折り曲げ可能につながっている遠位部分を有し、前記第１の折り線は、前記第２の折り線から離間しており、前記第１の近位部分及び前記第２の近位部分のそれぞれが、前記ボトムパネルに折り曲げ可能につながっており、前記遠位部分は、該ブランクから前記キャリアが形成される場合、前記少なくとも１つの物品の底部に係合するように前記ボトムパネルから概ね離間するものである、保持用タブと、
を備える、ブランク。
【請求項２１】
前記保持用タブは、第３の近位部分を更に有し、前記遠位部分は、第３の折り線に沿って前記第３の近位部分に折り曲げ可能につながっている、請求項２０に記載のブランク。
【請求項２２】
前記第３の折り線は、前記第１の折り線と略同一線上にある、請求項２１に記載のブランク。
【請求項２３】
前記遠位部分の一部分が、前記第１の折り線及び前記第３の折り線のそれぞれの端の間に延びる、請求項２１に記載のブランク。
【請求項２４】
前記遠位部分は、少なくとも前記第１の折り線から前記第２の折り線まで延びる第１の切れ目線に沿って、前記第１の近位部分から少なくとも部分的に分離可能であるとともに、少なくとも前記第３の折り線から前記第２の折り線まで延びる第２の切れ目線に沿って、前記第３の近位部分から少なくとも部分的に分離可能である、請求項２１に記載のブランク。
【請求項２５】
前記遠位部分は、少なくとも前記第１の折り線から前記第２の折り線まで延びる切れ目線に沿って、前記第１の近位部分から少なくとも部分的に分離可能である、請求項２０に記載のブランク。
【請求項２６】
前記第２の近位部分は、第３の折り線に沿って前記ボトムパネルに折り曲げ可能につながっており、前記切れ目線は、少なくとも前記第２の折り線から前記第３の折り線まで更に延び、前記第２の近位部分は、前記切れ目線に沿って前記第１の近位部分及び前記ボトムパネルから少なくとも部分的に分離可能である、請求項２５に記載のブランク。
【請求項２７】
前記遠位部分は、少なくとも前記第１の折り線の端から前記第２の折り線の端まで延びる切れ目線に沿って、前記第１の近位部分から少なくとも部分的に分離可能である、請求項２０に記載のブランク。
【請求項２８】
前記遠位部分において、前記第１の折り線から切れ目線が延びる、請求項２０に記載のブランク。
【請求項２９】
前記第１の近位部分は、第３の折り線に沿って前記ボトムパネルに折り曲げ可能につながっており、前記第２の近位部分は、第４の折り線に沿って前記ボトムパネルに折り曲げ可能につながっており、前記第３の折り線は、前記第４の折り線から離間している、請求項２０に記載のブランク。
【請求項３０】
前記第１の折り線、前記第２の折り線、前記第３の折り線、及び前記第４の折り線は、互いに対して略平行である、請求項２９に記載のブランク。
【請求項３１】
前記第３の折り線は、前記第２の折り線と略同一線上にある、請求項２９に記載のブランク。
【請求項３２】
前記第２の近位部分は、少なくとも前記第３の折り線から前記第４の折り線まで延びる切れ目線に沿って、前記ボトムパネルから少なくとも部分的に分離可能である、請求項２９に記載のブランク。
【請求項３３】
前記複数のパネルは、第３の折り線に沿って前記ボトムパネルに折り曲げ可能につながっているサイドパネルを更に含み、前記保持パネルは、前記少なくとも１つの切れ目及び該保持パネルが前記第３の折り線を中断するように、前記少なくとも１つの切れ目に沿って前記サイドパネルから更に分離可能である、請求項２０に記載のブランク。
【請求項３４】
前記複数のパネルは、第３の折り線に沿って前記ボトムパネルに折り曲げ可能につながっているサイドパネルを更に含み、開口が、前記保持用タブに隣接して、前記サイドパネル内に延びて前記第３の折り線を中断する、請求項２０に記載のブランク。
【請求項３５】
前記ボトムパネルは、前記第３の折り線によって少なくとも部分的に画定されるボトム傾斜パネルを含み、前記保持用タブは、前記少なくとも１つの切れ目に沿って前記ボトム傾斜パネルから少なくとも部分的に分離可能である、請求項３４に記載のブランク。
【請求項３６】
前記ボトムパネルは第１のボトムパネルであり、前記保持用タブは第１の保持用タブであり、前記複数のパネルは、前記ブランクから前記キャリアが形成される場合、前記第１のボトムパネルと少なくとも部分的に重なり合う関係に配置される第２のボトムパネルを更に含み、前記ブランクは、前記第２のボトムパネルに折り曲げ可能につながっている第２の保持用タブを更に備える、請求項２０に記載のブランク。
【請求項３７】
複数の物品を保持するキャリアを形成する方法であって、該方法は、
少なくともボトムパネルを含む複数のパネルと、少なくとも前記ボトムパネルに折り曲げ可能につながっているとともに、少なくとも１つの切れ目線に沿って前記ボトムパネルから少なくとも部分的に分離可能な保持用タブであって、該保持用タブは、第１の折り線に沿って第１の近位部分に、また第２の折り線に沿って第２の近位部分に折り曲げ可能につながっている遠位部分を有し、前記第１の折り線は、前記第２の折り線から離間している、保持用タブとを備えるブランクを得ることと、
前記複数のパネルを互いに対して折り曲げることにより、前記カートンの内部の少なくとも一部分を形成することと、
前記複数の物品のうちの少なくとも１つの物品の少なくとも底部に係合するように前記保持用タブを配置することと、
を含み、前記保持用タブを配置することは、前記第１の近位部分及び前記第２の近位部分のそれぞれが前記ボトムパネルから前記遠位部分まで延びるように、また前記保持用タブが、少なくとも前記ボトムパネルにある開口に隣接して少なくとも前記ボトムパネルに折り曲げ可能につながるように、前記ボトムパネルから概ね離間するよう前記保持用タブの前記遠位部分を配置することを含む、方法。
【請求項３８】
前記保持用タブは、第３の近位部分を更に有し、前記遠位部分は、第３の折り線に沿って前記第３の近位部分に折り曲げ可能につながっており、前記保持用タブの前記遠位部分を配置することは、前記第３の近位部分を前記ボトムパネルから前記遠位部分まで延びるように配置することを含む、請求項３７に記載の方法。
【請求項３９】
前記遠位部分の一部分が、前記第１の折り線及び前記第３の折り線のそれぞれの端の間に延び、前記遠位部分を配置することは、前記第１の折り線から前記第２の折り線まで延びる前記遠位部分の第１の縁と、前記第３の折り線から前記第２の折り線まで延びる前記遠位部分の第２の縁とを形成することを更に含む、請求項３８に記載の方法。
【請求項４０】
前記遠位部分を配置することは、前記第１の折り線から前記第２の折り線まで延びる前記遠位部分の縁を形成することを含む、請求項３７に記載の方法。
【請求項４１】
前記第１の近位部分は、第３の折り線に沿って前記ボトムパネルに折り曲げ可能につながっており、前記第２の近位部分は、第４の折り線に沿って前記ボトムパネルに折り曲げ可能につながっており、前記第３の折り線は、前記第４の折り線から離間しており、前記保持用タブを配置することは、前記第１の近位部分を前記第１の折り線及び前記第３の折り線に沿って折り曲げることと、前記第２の近位部分を前記第２の折り線及び前記第４の折り線に沿って折り曲げることと、を更に含む、請求項３７に記載の方法。
【請求項４２】
前記複数のパネルは、第３の折り線に沿って前記ボトムパネルに折り曲げ可能につながっているサイドパネルを更に含み、前記カートンの前記内部の少なくとも一部分を形成することは、前記ボトムパネルを前記第３の折り線に沿って前記サイドパネルに対して折り曲げることを含み、前記保持用タブを配置した後、前記開口は、前記サイドパネル内に延びて前記第３の折り線を中断する、請求項３７に記載の方法。
【請求項４３】
前記ボトムパネルは第１のボトムパネルであり、前記保持用タブは第１の保持用タブであり、前記複数のパネルは第２のボトムパネルを更に含み、前記キャリアは、前記第２のボトムパネルに折り曲げ可能につながっている第２の保持用タブを更に備え、前記方法は、前記第１のボトムパネル及び前記第２のボトムパネルを互いに少なくとも部分的に重なり合う関係に配置することと、前記第２の保持用タブを前記複数の物品の異なる物品の少なくとも底部に係合するように配置することとを更に含む、請求項３７に記載の方法。
【請求項４４】
前記方法は、前記複数の物品のうちの１つの物品を得ることを更に含み、前記物品の前記底部は、ドーム形状部と、該ドーム形状部から概ね下方に延びる内側リムとを有し、前記保持用タブの前記遠位部分を配置することは、前記内側リムに係合するように前記遠位部分の遠位縁を配置することを含む、請求項３７に記載の方法。
【発明の詳細な説明】
【技術分野】
【０００１】
［関連出願の相互参照］
本願は、２０１４年２月２１日付けで出願された米国仮特許出願第６１／９６６，３５５号明細書の利益を主張する。
【０００２】
［参照による援用］
２０１４年２月２１日付けで出願された米国仮特許出願第６１／９６６，３５５号明細書及び２００６年１月２４日付けで発行された米国特許第６，９８８，６１７号明細書の開示は、その全体が本開示に提示されているかのように全ての目的で引用することにより本明細書の一部をなす。
【０００３】
本開示は、包括的には、飲料用容器又は他のタイプの物品を保持して分配するカートン又はキャリアに関する。
【背景技術】
【０００４】
概して、本開示の１つの態様は、複数の物品を保持するキャリアに関する。本キャリアは、キャリアの内部の周りに少なくとも部分的に延びる複数のパネルを備える。複数のパネルは少なくともボトムパネルを含むことができる。保持用タブが、複数の物品のうちの１つの物品の少なくとも一部分に係合するものとすることができる。保持用タブは、少なくともボトムパネルにある開口に隣接して少なくともボトムパネルに折り曲げ可能につながっていることができる。保持用タブは、第１の折り線に沿って第１の近位部分に、また第２の折り線に沿って第２の近位部分に折り曲げ可能につながっている遠位部分を有することができる。第１の折り線は、第２の折り線から離間していることができる。遠位部分は、ボトムパネルから概ね離間して少なくとも１つの物品の少なくとも底部に係合することができ、第１の近位部分及び第２の近位部分のそれぞれは、ボトムパネルから遠位部分まで延びることができる。
【０００５】
別の態様において、本開示は、包括的には、複数の物品を保持するキャリアを形成するブランクに関する。本ブランクは、少なくともボトムパネルを含む複数のパネルと、ブランクからキャリアが形成される場合、複数の物品のうちの１つの物品の少なくとも一部分に係合する保持用タブとを備える。保持用タブは、少なくともボトムパネルに折り曲げ可能につながっていることができるとともに、少なくとも１つの切れ目に沿ってボトムパネルから少なくとも部分的に分離可能とすることができる。保持用タブは、第１の折り線に沿って第１の近位部分に、また第２の折り線に沿って第２の近位部分に折り曲げ可能につながっている遠位部分を有することができる。第１の折り線は、第２の折り線から離間していることができる。第１の近位部分及び第２の近位部分のそれぞれが、ボトムパネルに折り曲げ可能につながっていることができ、遠位部分は、ブランクからキャリアが形成される場合、少なくとも１つの物品の底部に係合するようにボトムパネルから概ね離間することができる。
【０００６】
別の態様において、本開示は、複数の物品を保持するキャリアを形成する方法に関する。本方法は、少なくともボトムパネルを含む複数のパネルと、少なくともボトムパネルに折り曲げ可能につながっているとともに、少なくとも１つの切れ目線に沿ってボトムパネルから少なくとも部分的に分離可能な保持用タブとを備えるブランクを得ることを含む。保持用タブは、第１の折り線に沿って第１の近位部分に、また第２の折り線に沿って第２の近位部分に折り曲げ可能につながっている遠位部分を有することができる。第１の折り線は、第２の折り線から離間していることができる。また、本方法は、複数のパネルを互いに対して折り曲げることにより、カートンの内部の少なくとも一部分を形成することと、複数の物品のうちの少なくとも１つの物品の少なくとも底部に係合するように保持用タブを配置することとを含むことができる。保持用タブを配置することは、第１の近位部分及び第２の近位部分のそれぞれがボトムパネルから遠位部分まで延びるように、また保持用タブが少なくともボトムパネルにある開口に隣接して少なくともボトムパネルに折り曲げ可能につながるように、ボトムパネルから概ね離間するよう保持用タブの遠位部分を配置することを含むことができる。
【０００７】
本開示の他の態様、特徴、及び詳細は、図面と組み合わせた例示的な実施形態の以下の詳細な説明の参照及び添付の特許請求の範囲から、より完全に理解することができる。
【０００８】
当業者は、以下にリストされている図面を参照して実施形態の以下の詳細な説明を読むことによって、上記の利点、並びに多様な追加の実施形態の他の利点及び利益を理解するであろう。さらに、以下で説明する図面の多様な特徴は、必ずしも一定の縮尺比で描かれているとは限らない。図面における多様な特徴及び要素の寸法は、本開示の実施形態をより明確に示すために拡大又は縮小されている場合がある。
【図面の簡単な説明】
【０００９】
【図１】本開示の例示的な第１の実施形態に係るキャリアを形成するのに用いられるブランクの外面の平面図である。
【図２Ａ】図１のブランクのそれぞれのボトムパネル及び保持機能部の図である。
【図２Ｂ】図１のブランクのそれぞれのボトムパネル及び保持機能部の図である。
【図３】本開示の第１の例示的な実施形態に係る、複数の物品の周囲でのキャリアの形成を示す斜視図である。
【図４】本開示の第１の例示的な実施形態に係る図１のブランクから形成される、内部に物品が保持されているキャリアの斜視図である。
【図５】図４のキャリアの底面図である。
【図６】本開示の第１の実施形態に係る図４のキャリアの断面図である。
【図７】本開示の第１の例示的な実施形態に係る保持機能部を示すように物品を取り除いた、図４のキャリアの内部の斜視図である。
【図８】本開示の第２の実施形態に係るキャリアを形成するのに用いられるブランクの外面の平面図である。
【図９Ａ】図８のブランクのそれぞれのボトムパネル及び保持機能部の図である。
【図９Ｂ】図８のブランクのそれぞれのボトムパネル及び保持機能部の図である。
【図１０】本開示の第２の例示的な実施形態に係る図８のブランクから形成される、内部に物品が保持されている組み立てられたキャリアの底面斜視図である。
【図１１】本開示の第２の例示的な実施形態に係る保持機能部を示すように物品を取り除いた、図１０のキャリアの内部の斜視図である。
【図１２】本開示の第３の実施形態に係るキャリアを形成するのに用いられるブランクの外面の平面図である。
【図１３】本開示の第３の例示的な実施形態に係る図１２のブランクから形成される、内部に物品が保持されているキャリアの斜視図である。
【図１４】図１３のキャリアの底面図である。
【図１５】本開示の第４の実施形態に係るキャリアを形成するのに用いられるブランクの外面の平面図である。
【図１６Ａ】図１５のブランクのそれぞれのボトムパネル及び保持機能部の図である。
【図１６Ｂ】図１５のブランクのそれぞれのボトムパネル及び保持機能部の図である。
【発明を実施するための形態】
【００１０】
対応する部分は、すべての図面において対応する参照符号によって示されている。
【００１１】
本開示は概して、容器、ボトル、缶等のような物品を収容するカートン又はキャリアの種々の特徴に関する。物品は、例えば、食品及び飲料製品を包装するのに用いることができる。物品は、特定の食品及び飲料製品を包装するのに適した組成の材料から作ることができ、その材料は、アルミニウム及び／又は他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、又はそれらの任意の組み合わせを含むが、これらに限定はされない。
【００１２】
本開示に係るカートン又はキャリアは、任意の形状の物品を収容することができる。本開示の範囲を限定することを目的とせず、説明することを目的として、以下の詳細な説明では、キャリアの実施形態において配置される飲料用容器（例えば飲料用アルミニウム缶）について説明する。本明細書において、「内側」、「内部」、「外側」、「外部」、「下側」、「ボトム／底（部）」、「上側」、及び「トップ／頂（部）」という用語は、完全に構築されて直立したカートンに関して決定される向きを示す。
【００１３】
図１は本開示の第１の実施形態に係るカートン又はキャリア５（図４〜図７）を形成するのに用いられるブランク３の外面２の平面図である。キャリア５は、容器Ｃ（図３〜図６）等の複数の物品を収容するのに用いることができる。図示の実施形態では、容器Ｃは飲料用缶であり、キャリア５は２×３構成の単一層で６本の容器を収容するようにサイズ決めされている。しかしながら、キャリア５は、２つ以上の層、及び／又は様々な横列／縦列の構成で（例えば、１×６、２×６、２×４、２×２、２×６×２、２×４×２、２×９等）、異なる数量若しくは同じ数量の容器Ｃを保持するようなサイズ及び形状にすることができることが理解される。図示の実施形態では、キャリア５は、容器Ｃの底部Ｂに係合する底部保持機能部１１を備えることができる。加えてキャリア５は、キャリア５が把持及び運搬されるように、全体的に７で示されるハンドルを備えることができる。キャリア５は、キャリア内の容器Ｃにアクセスするためのディスペンサー９（取出し部）も備えることができる。
【００１４】
図示の実施形態では、キャリア５は、容器Ｃの周りを包囲する、概ね開放した端部６、８を有するキャリアである（例えばキャリア５はラップアラウンドカートンと呼ぶことができる）。キャリア５は、端部６、８が端部フラップ（図示せず）又は他の閉鎖機構等によって少なくとも部分的に閉鎖されるように別様の形状及び配置とすることができる。
【００１５】
ブランク３は、縦軸Ｌ１及び横軸Ｌ２を有する。図示の実施形態では、ブランク３は、第１の横方向折り線２４において第１のサイドパネル２２に折り曲げ可能につながっているトップパネル２０と、第２の横方向折り線２８において第１のサイドパネル２２に折り曲げ可能につながっている第１のボトムパネル２６と、第３の横方向折り線３２においてトップパネル２０に折り曲げ可能につながっている第２のサイドパネル３０と、第４の横方向折り線３６において第２のサイドパネル３０に折り曲げ可能につながっている第２のボトムパネル３４とを備える。図示の実施形態では、第１のボトムパネル２６は、横方向折り線２８及び４０によって画定される第１のボトム傾斜パネル３８を含む。第２のボトムパネル３４は、横方向折り線３６及び４４によって画定される第２のボトム傾斜パネル４２を含む。ボトムコーナーフラップ４６は、それぞれのボトムパネル２６、３４に隣接して、それぞれの折り線４８に沿ってサイドパネル２２、３０のそれぞれに折り曲げ可能につながっていることができる。１つの実施形態において、折り線４８は、Ｖ字形とすることができる。さらに、第１の横方向折り線２４及び第３の横方向折り線３２は、それぞれ２つのセグメントを有することができ、その場合、各セグメントの各端には横方向の切れ目が配置される。それぞれの容器Ｃ（図４）の頂部Ｔの少なくとも一部分を受ける上側開口５０を、第１の横方向折り線２４のセグメントの間、第３の横方向折り線３２のセグメントの間、及び横方向折り線２４、３２の各端に配置することができる。
【００１６】
第１のボトムパネル２６は、第２のボトムパネル３４の主雄係止用タブ突出部５４に係合するような形状になっているとともにその突出部に係合するように位置決めされている、主雌係止縁５２を形成するカットアウト（cutout：切欠部）を含む。第１のボトムパネル２６はまた、第２のボトムパネル３４の外側の副係止用タブ突出部５８を収めるような形状にされているとともにその突出部を収めるように位置決めされているスリット５６を含む。図１に示すように、係止用フラップが、スリット５６に隣接して第１のボトムパネル２６に折り曲げ可能につながっていることができる。図示の実施形態では、第２のボトムパネル３４は横方向折り線６０、６１を有する。横方向折り線６０は、主雄係止用タブ突出部５４を画定するスリットによって中断することができる。加えて、副係止用タブ突出部５８のそれぞれは、横方向折り線６２を有することができる。ブランク３の係止要素が、キャリア５との使用に適した特定のボトムパネル係止構成を明示するように示されているが、任意の好適な代替的な形態のボトムパネル係止構造を本開示から逸脱することなく用いることができることが理解される。
【００１７】
図１、図２Ａ、及び図２Ｂに示すように、底部保持機能部１１は、第１のボトムパネル２６にそれぞれ折り曲げ可能につながっている第１の保持用タブ６４と、第２のボトムパネル３４にそれぞれ折り曲げ可能につながっている第２の保持用タブ６８とを備えることができる。第１の保持用タブ６４及び第２の保持用タブ６８のそれぞれは、略Ｕ字形とすることができるそれぞれの切れ目７２によって更に画定することができる。図示の実施形態では、第１の保持用タブ６４及び第２の保持用タブ６８のそれぞれは、それぞれの横方向折り線７８に沿って２つの近位部分７６（例えば第１の近位部分）に折り曲げ可能につながっている遠位部分７４を有する。近位部分７６は、それぞれの横方向折り線６６に沿ってそれぞれのボトムパネル２６、３４に折り曲げ可能につながっていることができる。１つの実施形態において、横方向折り線７８は互いに略位置合わせされており（例えば互いに略同一線上にあり）、横方向折り線６６は互いに略位置合わせされている（例えば互いに略同一線上にある）。
【００１８】
各保持用タブ６４、６８において、遠位部分７４は、オフセットした折り線８２に沿ってオフセットした近位部分８０（例えば第２の近位部分）に折り曲げ可能につながっていることができ、オフセットした近位部分８０は、それぞれのオフセットした折り線８４に沿ってそれぞれのボトムパネル２６、３４に折り曲げ可能につながっていることができる。図示の実施形態では、オフセットした折り線８２、８４は、横方向折り線６６、７８からオフセットしている。オフセットした折り線８２は、或る曲率半径でトップパネル２０から離れる向きに僅かに湾曲し、オフセットした折り線８４は、概ね横方向Ｌ２に延びる。１つの実施形態において、各横方向折り線７８とそれぞれの横方向折り線６６との間の距離Ｄ１（図２Ａ）は、各オフセットした折り線８２とそれぞれのオフセットした折り線８４との間の距離Ｄ２（図２Ａ）よりも大きい。オフセットした近位部分８０及び遠位部分７４は、切れ目線８６に沿って第１のボトムパネル２６及び近位部分７６から分離可能である。１つの実施形態において、切れ目線８６は、折り線７８のそれぞれの端から折り線８２のそれぞれの端まで延びることができるとともに、折り線８２のそれぞれの端から折り線８４のそれぞれの端まで更に延びることができる。
【００１９】
図３、図５、及び図６に示すように、容器Ｃの底部Ｂは、ドーム形状部Ｄと、ドーム形状部Ｄから下方に延びる内側リムＲとをそれぞれ有する。図示の実施形態では、第１の保持用タブ６４及び第２の保持用タブ６８のそれぞれは、それぞれの容器Ｃの内側リムＲ（図３、図５、及び図６）の少なくとも一部分に係合するように配置される。代替的には、第１の保持用タブ６４及び第２の保持用タブ６８は、本開示から逸脱することなく、省略することができるか又は別様の形状、構成、配置、及び／又は形態とすることができる。例えば、距離Ｄ１、Ｄ２は略等しいものとすることもできるし、距離Ｄ２は距離Ｄ１よりも大きいものとすることもできる。別の例において、ブランク３は、ボトムパネル２６、３４に折り曲げ可能につながっている保持用タブ６４、６８に加えて又はその代替として、トップパネル２０、第１のサイドパネル２２、及び／又は第２のサイドパネル３０に折り曲げ可能につながっている１つ又は複数の上側保持用タブ（図示せず）を備えることができる。１つの代替的な実施形態において、上側保持用タブは、保持用タブ６４、６８と同様又は同一とすることができる。
【００２０】
図１に示されているように、ハンドル７は、それぞれがスリットによってそれぞれ形成されるとともにそれぞれの縦方向折り線９０においてトップパネル２０に折り曲げ可能にくっついている２つのフィンガーフラップ８８を含む。ハンドル７は、キャリア５を運搬するように他の機能部を含むことができ、フィンガーフラップ８８は、別様の配置、形状、形態、及び／又は構成とすることができるか、又はハンドル７は、本開示から逸脱することなくキャリアから省略することができる。
【００２１】
図示の実施形態では、ディスペンサー９は、トップパネル２０において延びる２つの引き裂き線９２によって少なくとも部分的に形成されるディスペンサーパネル９１を含む。ディスペンサー９は、キャリア５を開く他の機能部を含むことができ、ディスペンサーパネル９１は、別様の配置、形状、形態、及び／又は構成とすることができるか、又はディスペンサー９は、本開示から逸脱することなくキャリアから省略することができる。
【００２２】
図示の実施形態では、トップパネル２０は、各コーナーに配置されるガセット又は頂部リテーナー９３の形態の、概ね矩形である頂部保持機能部を有する。頂部リテーナー９３はそれぞれ、第１の斜め折り線９５においてトップパネル２０に折り曲げ可能につながっている側部保持パネル９４と、第２の斜め折り線９７においてサイドパネル２２、３０のうちの一方に折り曲げ可能につながっているタックインパネル９６とを含む。それぞれのタックインパネル９６は、第３の斜め折り目９８においてそれぞれの側部保持パネル９４に折り曲げ可能につながっている。代替的には、頂部リテーナー９３は、本開示から逸脱することなく、省略することができるか、又は別様の形状、構成、配置、及び／又は形態とすることができる。
【００２３】
図示の実施形態では、キャリア５は、トップパネル２０を容器Ｃの上に配置するとともに、サイドパネル２２、３０を折り線２４、３２に沿って下方に折り曲げることにより組み立てることができる。サイドパネル２２、３０を折り曲げると、タックインパネル９６が、折り線９７を中心に内方にそれぞれ折り畳まれる。それに応じて、側部保持パネル９４は、キャリア５の端部６、８を覆って延びるように内方に引き寄せられる。側部保持パネル９４は、キャリア５の端部６、８において容器Ｃの部分の周りを部分的に包囲し（図４）、キャリア５の４つの頂部コーナーにおいて頂部リテーナー９３をそれぞれ形成する。タックインパネル９６及び側部保持パネル９４は、容器Ｃと、サイドパネル２２、３０の内面１０６との間でそれぞれサンドイッチ（例えば保持、挟持等）されるタックインパネル９６によって、適所に少なくとも部分的に保持される。
【００２４】
図３に示すように、キャリア５は、ボトムパネル２６、３４を折り線２８、４０、３６、４４に沿って内方に折り曲げてこれらのボトムパネルを重ね合わせ、底壁１０８（図５及び図７）を形成することにより、更に組み立てることができる。１つの実施形態において、ボトムパネル２６、３４を容器Ｃの底部Ｂの下へ内方に折り曲げると、保持用タブ６４、６８が内方に押され、近位部分７６、８０をそれぞれの折り線６６、８４に沿って折り曲げるとともに、遠位部分７４を折り線７８、８２に沿って折り曲げることができる。ボトムパネル２６、３４を引き続き内方に折り曲げると、機能化された保持用タブ６４、６８を、それぞれの容器Ｃの底部Ｂに対して、それぞれの内側リムＲ及びドーム形状部Ｄに隣接して配置することができる（図３）。ボトムパネル２６、３４を容器Ｃの底部を覆うように折り曲げると（図５）、保持用タブ６４、６８は枢動してそれぞれの容器Ｃの内側リムに係合する（図６）。
【００２５】
図５及び図７に示すように、主係止用タブ５４がそれぞれの主係止縁５２に係合するとともに副係止用タブ突出部５８がそれぞれのスリット５６に係合することにより、ボトムパネル２６、３４を相互係止させて底壁１０８を形成することができる。図示の実施形態では、第１のボトムパネル２６及び第２のボトムパネル３４は、それぞれの折り線２８、４０及び３６、４４に沿って折り曲げられ、第２のボトムパネル３４は、まず主雄係止用タブ５４をそれぞれ主雌係止縁５２と係合させることにより、第１のボトムパネル２６に固定される。副雄係止用フラップ５８は、それぞれスリット５６に挿通されるとともにスリット５６と協働するように相互作用し、第２のボトムパネル３４を第１のボトムパネル２６に更に固定する。本開示から逸脱することなく、代替的なステップによってキャリア５を組み立てることができる及び／又は容器Ｃを装填することができる。
【００２６】
図６及び図７に示すように、機能化された保持用タブ６４、６８は、それぞれの容器Ｃを保持するのを助けるように配置される。図示の実施形態では、近位部分７６及びオフセットした近位部分８０は、折り線６６、８４からキャリア５の内部に向かって概ね上方に及び／又は斜めに延びることができ、遠位部分７４は、折り線７８、８２からそれぞれ隣接するサイドパネル２２、３０に向かって概ね水平に（例えば底壁１０８に対して略平行に）延びることができる。それに応じて、保持用タブ６４、６８のそれぞれに関して、遠位部分は、それぞれの容器Ｃの内側リムＲの内面に当接することができる遠位縁１０３を有することができる。各保持用タブの遠位部分７４の中央領域は、遠位部分の外側領域よりも遠く、オフセットした折り線８２まで、それぞれの容器Ｃの底部Ｂを横切って延びることができる。図７に示すように、保持用タブ６４、６８のそれぞれの遠位部分７４は、折り線７８のそれぞれの端から折り線８２のそれぞれの端まで延びる縁１０７を有することができ、オフセットした近位部分８０の縁１０９は、遠位部分のそれぞれの縁からそれぞれのボトムパネル２６、３４まで連続することができる。代替的な一実施形態において、折り線８２は、縁１０３が内側リムＲに接触する場所と反対側で、それぞれの容器Ｃの内側リムＲに係合することができる。
【００２７】
図５〜図７に示すように、機能化された保持用タブ６４は、第１のサイドパネル２２及び第１のボトムパネル２６に、それぞれ隣接する容器Ｃの底部Ｂの部分を受ける開口１０４を形成する。同様に、機能化された保持用タブ６８は、第２のサイドパネル３０及び第２のボトムパネル３４に、それぞれ隣接する容器Ｃの底部Ｂの部分を受ける開口１０５（図３、図５、及び図７）を形成する。１つの実施形態において、保持用タブ６４、６８のそれぞれについて、それぞれのボトムパネル２５、３４の縁１１１が、それぞれの開口１０４、１０５に沿って、折り線８４の端のそれぞれからそれぞれの折り線６６まで延びることができる。
【００２８】
図示の実施形態では、折り曲げられた保持用タブ６４、６８は、それぞれの遠位部分７４の少なくとも遠位縁１０３に沿って、それぞれの容器Ｃのドーム形状部Ｄから下方に延びる内側リムＲに係合することができる１つ又は複数の接触点を提供することにより、容器Ｃの抜落ちを阻止するのを助けることができる。例えば、容器Ｃがキャリア５の端部６に向かって外側に押される可能性があるが、キャリア５の内部１００においてそれぞれの第１の保持用タブ６４が内側リムＲの内側に接触し、外向きの力に抵抗することができる。頂部リテーナー９３は、キャリア５の端部６、８の頂部コーナーにおいて容器Ｃの抜落ちを阻止し（図６）、保持用タブ６４、６８は、頂部リテーナー９３と協働して、容器をそれぞれの保持用タブ６４、６８又は頂部リテーナー９３から係脱させ得る端部６、８における容器Ｃの枢動を阻止するのを助ける。したがって、保持用タブ６４、６８及び頂部リテーナー９３は、容器Ｃがキャリア５から不所望に押し出される、すなわち抜け落ちることを防止するのを助ける。
【００２９】
１つの実施形態において、容器Ｃは、キャリア５内に保持されながらも回転することができる。その場合、容器Ｃの円形の内側リムＲは、容器が回転する際にそれぞれの保持用タブ６４、６８の遠位部分７４の縁１０３を滑り越える場合がある。このような回転は、（例えばキャリア５及び容器Ｃの輸送中に）自然に発生する及び／又は（例えばラベルを見せるように容器の向きを定めるために）手動で行われる場合がある。近位部分７６及びオフセットした近位部分８０の構成によって保持用タブ６４、６８の遠位部分７４が略水平な位置（例えば図６）に保持されるので、容器が保持用タブに対して動く（例えば回転する）場合に、保持用タブ６４、６８が容器Ｃのドーム形状部Ｄを擦る可能性は低い。容器Ｃの底部（例えばドーム形状部Ｄ）には消費期限及び／又は他の情報が印刷される場合があるが、そのような印刷材料は、保持機能部６４、６８のようにドーム形状部Ｄから離間していない代替的な保持機能部によっては擦り落とされる可能性がある。第１の保持用タブ６４及び第２の保持用タブ６８は、本開示から逸脱することなく、別様の形状、構成、配置、及び／又は形態とすることができる。
【００３０】
図８は、本開示の第２の実施形態に係るキャリア２０５（図１０及び図１１）を形成するブランク２０３の外面２０２の平面図である。第２の実施形態は、述べられる変形及び当業者には明らかである変形を除いて、第１の実施形態と概ね同様である。それに応じて、実施形態の同様又は同一の特徴部には、類似又は同様の参照符号が付されている。図８、図９Ａ、及び図９Ｂに示されているようにブランク２０３は、それぞれの開口３０４、３０５に隣接して設置されている保持用タブ２６４、２６８を含む、代替的な底部保持機能部２１１を備える。保持用タブ２６４、２６８は、第１の実施形態の保持用タブ６４、６８と同様であり、遠位部分２７４が、２つの近位部分２７６及び１つのオフセットした近位部分２８０に折り曲げ可能につながっている。各保持用タブ２６４、２６８のオフセットした近位部分２８０は、第１の実施形態のオフセットした近位部分８０よりも比較的小さいものとすることができ、切れ目線２８６は、図８、図９Ａ、及び図９Ｂに示すように、縦の近位部分及び斜めの遠位部分を有することができる。図示の実施形態では、保持用タブ２６４、２６８のそれぞれは、それぞれの開口３０４、３０５に隣接し、それぞれの容器Ｃの内側リムＲ（図１０）に係合するそれぞれの遠位縁３０３を有することができる。図１０及び図１１に示すように、機能化された保持用タブ２６４、２６８は、第１の実施形態の保持用タブ６４、６８と略同様であり、それぞれの容器Ｃの内側リムＲに同様に係合する。ブランク２０３及び／又はキャリア２０５は、本開示から逸脱することなく、別様の形状、構成、配置、及び／又は形態とすることができる。
【００３１】
図１２は、本開示の第３の実施形態に係るキャリア４０５（図１３及び図１４）を形成するブランク４０３の外面４０２の平面図である。第３の実施形態は、述べられる変形及び当業者には明らかである変形を除いて、第１の実施形態と概ね同様である。それに応じて、実施形態の同様又は同一の特徴部には、類似又は同様の参照符号が付されている。図１２に示すように、ブランク４０３は、それぞれの保持機能部４１１を提供する、第１のサイドパネル４２２及び第１のボトムパネル４２６の部分を含む拡大セクション４１３と、第２のサイドパネル４３０及び第２のボトムパネル４３４の一部を含む拡大セクション４１５とを有する代替的な形状とすることができる。保持機能部４１１は、第１の実施形態の保持用タブと略同じである保持用タブ６４、６８を備えることができる。図１２に示すように、トップパネル４２０は、横方向折り線５１３に沿ってトップパネル４２０に折り曲げ可能につながっているとともに、引き裂き線又は切れ目線５１５に沿ってトップパネル４２０から分離可能である頂部保持用タブ５１１を備える。サイドパネル４２２、４３０は、それぞれの折り線４２４、４３２に沿ってトップパネル４２０に折り曲げ可能につながっているそれぞれの上側傾斜パネル４３９、４４３を含むことができる。上側傾斜パネル４３９、４４３は、それぞれの折り線４４１、４４５に沿ってそれぞれのサイドパネル４２２、４３０に折り曲げ可能につながっていることができる。ボトム傾斜パネル３８、４２及び上側傾斜パネル４３９、４４３は、サイドパネル４２２、４３０に対して斜めに延び、ブランク４０３からキャリアが形成される場合、容器Ｃに少なくとも部分的に適合することができる。
【００３２】
キャリア４０５は、第１の実施形態のキャリア５と同様にブランク４０３から形成することができ、保持用タブ６４、６８は、第１の実施形態の保持用タブと同様に、機能化してそれぞれの容器Ｃと係合させることができる。図１３に示すように、キャリア４０５が形成される場合、保持用タブ５１１を折り線５１３に沿って内方に折り曲げて、トップパネル４２０に開口５１０を形成することができる。折り曲げられた保持用タブ５１１は、キャリア４０５の開放端部に隣接してそれぞれの容器Ｃの頂部リムＲ１（図１３）の内部に係合し、キャリア４０５内で容器Ｃを保持するのを助けることができる。ボトムパネル４２６、４３４は、第１の実施形態のボトムパネル２６、３４と同様に、相互係止して底壁５０８（図１４）を形成することができる。ブランク４０３及び／又はキャリア４０５は、本開示から逸脱することなく、別様の形状、構成、及び／又は形態とすることができる。
【００３３】
図１５は、本開示の第４の実施形態に係るキャリア（図示せず）を形成するブランク６０３の外面６０２の平面図である。第４の実施形態は、述べられる変形及び当業者には明らかである変形を除いて、第３の実施形態と概ね同様である。それに応じて、実施形態の同様又は同一の特徴部には、類似又は同様の参照符号が付されている。図１５、図１６Ａ、及び図１６Ｂに示すように、ブランク６０３は、第１のサイドパネル４２２及び第１のボトムパネル４２６にある第１の保持用タブ６６４ａ、６６４ｂ、６６４ｃと、第２のサイドパネル４３０及び第２のボトムパネル４３４にある第２の保持用タブ６６８ａ、６６８ｂ、６６８ｃとを備える代替的な底部保持機能部６１１を備える。
【００３４】
図１６Ａに示すように、外側保持用タブ６６４ａ、６６４ｃは、様々な形状を有するが、それぞれの近位部分６７６ａ、６７６ｃは、ボトム傾斜パネル３８を第１のボトムパネル４２６につなげる折り線４０と略同一線上にあるそれぞれの折り線６６６ａ、６６６ｃに沿って、第１のボトムパネル４２６に折り曲げ可能につながっている。さらに、それぞれの外側保持用タブ６６４ａ、６６４ｃの遠位部分６７４ａ、６７４ｃは、横方向折り線４０及び折り線６６６ａ、６６６ｃと略同一線上にあるそれぞれの折り線６８２ａ、６８２ｃに沿って、それぞれのオフセットした近位部分６８０ａ、６８０ｃに折り曲げ可能につながっている。図１６Ｂに示すように、外側保持用タブ６６８ａ、６６８ｃは、外側保持用タブ６６８ａが概ね縦方向Ｌ１において外側保持用タブ６６４ａよりも大きいことと、外側保持用タブ６６８ｃの折り線６８２ｅが折り線４４から僅かにオフセットしていることとを除き、図１６Ａのそれぞれの外側保持用タブ６６４ａ、６６４ｃと略同様である。
【００３５】
図１６Ａ及び図１６Ｂに示すように、中央保持用タブ６６４ｂ、６６８ｂは、湾曲している折り線６８２ｂに沿って単一の近位部分６８０ｂに折り曲げ可能につながっている遠位部分６７４ｂを有することができる。中央保持用タブ６６４ｂ、６６８ｂの近位部分６８０ｂは、それぞれの折り線６８４ｂに沿ってそれぞれのボトムパネル４２６、４３４に折り曲げ可能につながっていることができる。保持用タブ６６４ａ、６６４ｂ、６６４ｃ、６６８ａ、６６８ｂ、６６８ｃのうちのいずれか又は全ては、本開示から逸脱することなく、別様の形状、構成、及び／又は形態とすることができるか、又は省略することができる。さらに、ブランク６０３は、本開示から逸脱することなく、別様の形状、構成、及び／又は形態とすることができる。
【００３６】
本開示の種々の実施形態の特徴のうちの任意のものは、本開示の範囲から逸脱することなく、組み合わせたり、置き換えたり、又は本開示の他の実施形態の他の特徴を有して別様に構成したりすることができる。さらに、種々の実施形態の保持機能部を、任意のカートン形式又はパネル形態を有するカートン又はキャリアに組み込むことができることに留意されたい。上述したキャリア形式及びパネル形態は例として挙げられている。さらに、保持機能部の形状は、実質的にいかなる形状とすることもできる。上述され、図に含まれている形状は、例として挙げられている。
【００３７】
概して、本開示によるブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコーティング上に製品、広告、及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ又は複数のシート状材料を積層又はコーティングすることもできる。
【００３８】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含む。折り線を形成するのに切れ目付け（cutting）が用いられる状況において、切れ目付けは通常、分別のあるユーザーが折り線を誤って引き裂き線とみなす可能性があるように過度には深く（extensive）ない。
【００３９】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００４０】
上記実施形態は、カートンの実施形態を構築する間に糊によって互いに接着される１つ又は複数のパネルを有するものとして説明することができる。「糊」という用語は、カートンパネルを適所に固定するのに一般的に用いられる全ての態様の接着剤を包含することが意図される。
【００４１】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。さらに、本開示は、本開示の選択された実施形態のみを図示及び説明しているが、本開示は、種々の他の組合せ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態のいくつかの機能部及び特徴を、選択的に入れ替えて、本開示の他の説明された実施形態及び説明されていない実施形態に適用することができる。
【図１】
2017509554.tif 000003
【図２Ａ】
2017509554.tif 000004
【図２Ｂ】
2017509554.tif 000005
【図３】
2017509554.tif 000006
【図４】
2017509554.tif 000007
【図５】
2017509554.tif 000008
【図６】
2017509554.tif 000009
【図７】
2017509554.tif 000010
【図８】
2017509554.tif 000011
【図９Ａ】
2017509554.tif 000012
【図９Ｂ】
2017509554.tif 000013
【図１０】
2017509554.tif 000014
【図１１】
2017509554.tif 000015
【図１２】
2017509554.tif 000016
【図１３】
2017509554.tif 000017
【図１４】
2017509554.tif 000018
【図１５】
2017509554.tif 000019
【図１６Ａ】
2017509554.tif 000020
【図１６Ｂ】
2017509554.tif 000021
【国際調査報告】
2017509554.tif 000022
2017509554.tif 000023